(57)【要約】【課題】ＳＴＢやレコーダなどの外部チューナと接続され、リモコン一つを用いて、あたかも外部チューナの機能が組み込まれているかのように操作可能な表示装置を提供する。【解決手段】テレビ装置１００は、放送信号を受信するＴＶチューナ１０１と、放送信号を受信する外部チューナを接続するＨＤＭＩ入力Ｉ／Ｆ１０８，１０９と、ユーザ入力に従ってＴＶ装置１００を操作するリモコンＲと、リモコンＲにより選局操作がなされたときに、外部チューナで受信可能な放送種別に応じて、ＴＶチューナ１０１と外部チューナのいずれか一方を操作対象として選択する操作対象選択部１０４ａとを備える。テレビ装置１００は、外部チューナが操作対象として選択された場合、ＨＤＭＩ入力Ｉ／Ｆ１０８，１０９を介して外部チューナへ選局指示のＣＥＣコマンドを送信する。【選択図】図１
2008061065.tif 000002
【特許請求の範囲】
【請求項１】
放送信号を受信するチューナと、放送信号を受信する外部チューナを接続する接続手段とを備えた表示装置であって、
ユーザ入力に従って前記表示装置を操作する操作手段と、該操作手段により選局操作がなされたときに、前記外部チューナで受信可能な放送種別に応じて、前記チューナと前記外部チューナのいずれか一方を操作対象として選択する操作対象選択手段とを備え、
前記外部チューナが操作対象として選択された場合、前記接続手段を介して前記外部チューナへ選局指示のコマンドを送信することを特徴とする表示装置。
【請求項２】
請求項１に記載の表示装置において、前記外部チューナが前記チューナと同じ種別の放送信号を受信可能な場合、前記操作対象選択手段は、前記操作手段により前記チューナと前記外部チューナの両方で受信可能な放送が選局されたときに、前記チューナが使用状態にあるかどうかを判定し、前記チューナが使用状態であれば、前記外部チューナを操作対象として選択することを特徴とする表示装置。
【請求項３】
請求項１に記載の表示装置において、前記外部チューナが前記チューナと異なる種別の放送信号を受信可能な場合、前記操作対象選択手段は、前記操作手段により前記外部チューナでのみ受信可能な放送が選局されたときに、前記外部チューナを操作対象として選択することを特徴とする表示装置。
【請求項４】
請求項１に記載の表示装置において、前記外部チューナが前記チューナと同じ種別で且つ放送経路の異なる放送信号を受信可能な場合、前記操作対象選択手段は、前記操作手段により前記チューナと前記外部チューナの両方で受信可能な放送が選局されたときに、前記外部チューナを操作対象として優先的に選択することを特徴とする表示装置。
【請求項５】
請求項４に記載の表示装置において、前記チューナの放送経路は、地上波デジタル放送信号が送信される経路であり、前記外部チューナの放送経路は、地上波デジタル放送のＩＰ再送信信号が送信される経路であることを特徴とする表示装置。
【請求項６】
請求項１に記載の表示装置において、前記操作対象選択手段は、前記チューナと前記外部チューナの受信状態を判定し、該判定結果に基づいて受信状態が良好なチューナを操作対象として選択することを特徴とする表示装置。
【請求項７】
請求項１に記載の表示装置において、前記操作対象選択手段は、前記チューナと前記外部チューナのいずれかを操作対象として選択させる画面を表示させ、該画面上でユーザにより選択されたチューナを操作対象として選択することを特徴とする表示装置。
【請求項８】
請求項１乃至７のいずれか１項に記載の表示装置において、該表示装置の入力を切り換えるための入力切換メニューに、前記外部チューナで受信可能な放送種別を追加して拡張し、該拡張した入力切換メニューの各入力項目を選択可能に表示することを特徴とする表示装置。
【請求項９】
請求項１乃至８のいずれか１項に記載の表示装置において、前記接続手段を介して前記外部チューナへＯＳＤ出力禁止のコマンドを送信し、前記外部チューナで生成されたＯＳＤ情報の表示を禁止することを特徴とする表示装置。
【請求項１０】
請求項１乃至９のいずれか１項に記載の表示装置において、前記チューナで受信可能な番組情報を電子番組表として表示する手段を備え、
前記外部チューナで受信可能な番組情報を取得し、該取得した番組情報を前記電子番組表を使用して表示させることを特徴とする表示装置。
【請求項１１】
請求項１乃至９のいずれか１項に記載の表示装置において、前記外部チューナの放送種別への切り換えが要求されたときに、前記外部チューナへ電子番組表出力指示のコマンドを送信し、前記外部チューナの電子番組表を表示させることを特徴とする表示装置。
【請求項１２】
請求項１乃至１１のいずれか１項に記載の表示装置において、前記接続手段は、前記外部チューナを少なくとも２つ接続し、一方は映像・音声信号を録画可能な録画装置であり、他方はセットトップボックスであることを特徴とする表示装置。
【請求項１３】
請求項１２に記載の表示装置において、前記セットトップボックスから前記録画装置へ映像・音声信号の伝送を可能とし、前記セットトップボックスでのみ受信可能な放送を、前記録画装置に録画予約した場合、前記表示装置は、録画予約開始時刻になると、前記セットトップボックスへ選局開始を指示するコマンドを送信し、前記録画装置へ前記セットトップボックスからの映像・音声信号を録画指示するコマンドを送信することを特徴とする表示装置。
【請求項１４】
請求項１２に記載の表示装置において、該表示装置から前記録画装置へ映像・音声信号の伝送を可能とし、前記表示装置でのみ受信可能な放送を、前記録画装置に録画予約した場合、前記表示装置は、録画予約開始時刻になると、録画出力を開始すると共に、前記録画装置へ前記表示装置からの映像・音声信号を録画指示するコマンドを送信することを特徴とする表示装置。
【請求項１５】
請求項１乃至１４のいずれか１項に記載の表示装置において、前記接続手段は、ＨＤＭＩ規格に準じた接続を行う手段であり、前記コマンドは、ＨＤＭＩ規格に基づくＣＥＣコマンドであることを特徴とする表示装置。
【請求項１６】
放送信号を受信するチューナと、放送信号を受信する外部チューナを接続する接続手段とを備えた表示装置の外部チューナ制御方法であって、
ユーザ入力に従って前記表示装置を操作する操作手段を使用して、前記表示装置に選局操作がなされたときに、前記外部チューナで受信可能な放送種別に応じて、前記チューナと前記外部チューナのいずれか一方を操作対象として選択するステップと、
前記外部チューナが操作対象として選択された場合、前記接続手段を介して前記外部チューナへ選局指示のコマンドを送信するステップとを有することを特徴とする外部チューナ制御方法。
【請求項１７】
請求項１６に記載の外部チューナ制御方法において、前記外部チューナが前記チューナと同じ種別の放送信号を受信可能な場合、前記表示装置が、前記操作手段により前記チューナと前記外部チューナの両方で受信可能な放送が選局されたときに、前記チューナが使用状態にあるかどうかを判定し、前記チューナが使用状態であれば、前記外部チューナを操作対象として選択することを特徴とする外部チューナ制御方法。
【請求項１８】
請求項１６に記載の外部チューナ制御方法において、前記外部チューナが前記チューナと異なる種別の放送信号を受信可能な場合、前記表示装置が、前記操作手段により前記外部チューナでのみ受信可能な放送が選局されたときに、前記外部チューナを操作対象として選択することを特徴とする外部チューナ制御方法。
【請求項１９】
請求項１６に記載の外部チューナ制御方法において、前記外部チューナが前記チューナと同じ種別で且つ放送経路の異なる放送信号を受信可能な場合、前記表示装置が、前記操作手段により前記チューナと前記外部チューナの両方で受信可能な放送が選局されたときに、前記外部チューナを操作対象として優先的に選択することを特徴とする外部チューナ制御方法。
【発明の詳細な説明】
【技術分野】
【０００１】
本発明は、表示装置及び外部チューナ制御方法、より詳細には、ＨＤＭＩ（High Definition Multimedia Interface）等によるデジタルインタフェースによりレコーダやＳＴＢ（セットトップボックス）などの外部チューナと接続可能な表示装置及び該装置による外部チューナ制御方法に関する。
【背景技術】
【０００２】
映像伝送用のデジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
従来は機器間の接続にビデオ、オーディオ、コントロールの各信号用の複数のケーブルを用いていたが、ＨＤＭＩではケーブル１本で済み、コントロール信号は双方向の伝送に対応しているため、例えばモニタからＨＤＭＩで接続されたＳＴＢやＤＶＤプレーヤ等の出力装置にコントロール信号を中継することによって、一つのリモコンでホームシアタなどのＡＶシステム全体を操作することも可能となる。
【０００３】
上記ＨＤＭＩによりテレビと外部チューナ（レコーダやＳＴＢなど）を接続した場合、テレビ側の内蔵チューナを使用する際には、電源のオン・オフ操作や、放送チャンネルの切換（選局）操作などを行えばよく、内蔵チューナを個別に操作する必要はない。この選局操作としては、例えば、テレビ本体もしくはリモコン装置の数字キーで直接的に放送チャンネルを選択する、あるいは、チャンネルアップ／ダウンボタンを操作して放送チャンネルを選択する、などの方法がある。
【０００４】
一方、テレビに接続された外部チューナを利用する場合、外部チューナを個別に操作する必要があるため、外部チューナ用のリモコン装置が別途必要となる。従って、ユーザは使い勝手の異なる２つのリモコン装置を別々に操作しなくてはならず、操作が煩雑になるという問題があった。
【０００５】
このような問題に対して、例えば、特許文献１には、本体側から外部機器の電源のオン・オフを制御したり、外部チューナが受信するチャンネル信号について放送内容の情報の表示や選局操作を行える映像音声信号処理装置が開示されている。この映像音声信号処理装置であるハードディスクレコーダは、高速データ端子を介して、ＣＳ受像機などの外部機器に電源制御信号を転送し、ハードディスクレコーダと連動し外部機器の電源のオン・オフを制御する。また、ハードディスクレコーダは、チャンネル選択制御信号を生成し、高速データ端子を介してＣＳ受像機に出力し、ＣＳ受像機のチャンネルを切り換える。
【０００６】
また、特許文献２には、ＩＥＥＥ１３９４インタフェースを介して擬似的に機能を拡張させたＡＶ機器が開示されている。このＡＶ機器は、ＡＶ−ＨＤＤやＢｌｕ−ｒａｙ Ｄｉｓｃなどの機能モジュールと、それ以外の他の機能モジュール（Ｄ−ＶＨＳなど）とを制御可能な制御機器（チューナ内蔵デジタルテレビなど）とＩＥＥＥ１３９４Ｉ／Ｆを介して接続する手段と、その制御機器からの制御情報を変換して機能モジュールを制御する擬似機能モジュールとを備える。擬似機能モジュールは、機能モジュール（ＡＶ−ＨＤＤ，Ｂｌｕ−ｒａｙ Ｄｉｓｃ）を、他の機能モジュール（Ｄ−ＶＨＳ）に統合してリスト表示させる。
【特許文献１】特開２００４−２００８６２号公報
【特許文献２】特開２００６−１０８８３７号公報
【発明の開示】
【発明が解決しようとする課題】
【０００７】
しかしながら、上記特許文献１に記載のレコーダでは、制御信号と映像・音声信号をやり取りするための配線が別々であったため、配線構造が複雑になっていた。また、テレビの内蔵チューナの選局操作と、外部機器のチューナの選局操作が異なっているために、ユーザにとっては負担が大きく、さらに、操作対象が外部機器であることを意識して操作する必要がある。
【０００８】
また、上記特許文献２に記載のＡＶ機器の場合、チューナ内蔵デジタルテレビなどの制御機器とＩＥＥＥ１３９４Ｉ／Ｆを介して接続され、その制御機器からの制御情報を変換して、ＡＶ機器が実装するＡＶ−ＨＤＤやＢｌｕ−ｒａｙ Ｄｉｓｃなどの機能モジュールを制御する構成であり、あくまで外部機器であることを意識して操作しなければならない。
【０００９】
本発明は、上述のごとき実情に鑑みてなされたものであり、ＳＴＢやレコーダなどの外部チューナと接続され、リモコン一つを用いて、あたかも外部チューナの機能が組み込まれているかのように操作可能な表示装置及び該表示装置による外部チューナ制御方法を提供すること、を目的とする。
【課題を解決するための手段】
【００１０】
上記課題を解決するために、本発明の第１の技術手段は、放送信号を受信するチューナと、放送信号を受信する外部チューナを接続する接続手段とを備えた表示装置であって、ユーザ入力に従って前記表示装置を操作する操作手段と、該操作手段により選局操作がなされたときに、前記外部チューナで受信可能な放送種別に応じて、前記チューナと前記外部チューナのいずれか一方を操作対象として選択する操作対象選択手段とを備え、前記外部チューナが操作対象として選択された場合、前記接続手段を介して前記外部チューナへ選局指示のコマンドを送信することを特徴としたものである。
【００１１】
第２の技術手段は、第１の技術手段において、前記外部チューナが前記チューナと同じ種別の放送信号を受信可能な場合、前記操作対象選択手段は、前記操作手段により前記チューナと前記外部チューナの両方で受信可能な放送が選局されたときに、前記チューナが使用状態にあるかどうかを判定し、前記チューナが使用状態であれば、前記外部チューナを操作対象として選択することを特徴としたものである。
【００１２】
第３の技術手段は、第１の技術手段において、前記外部チューナが前記チューナと異なる種別の放送信号を受信可能な場合、前記操作対象選択手段は、前記操作手段により前記外部チューナでのみ受信可能な放送が選局されたときに、前記外部チューナを操作対象として選択することを特徴としたものである。
【００１３】
第４の技術手段は、第１の技術手段において、前記外部チューナが前記チューナと同じ種別で且つ放送経路の異なる放送信号を受信可能な場合、前記操作対象選択手段は、前記操作手段により前記チューナと前記外部チューナの両方で受信可能な放送が選局されたときに、前記外部チューナを操作対象として優先的に選択することを特徴としたものである。
【００１４】
第５の技術手段は、第４の技術手段において、前記チューナの放送経路は、地上波デジタル放送信号が送信される経路であり、前記外部チューナの放送経路は、地上波デジタル放送のＩＰ再送信信号が送信される経路であることを特徴としたものである。
【００１５】
第６の技術手段は、第１の技術手段において、前記操作対象選択手段は、前記チューナと前記外部チューナの受信状態を判定し、該判定結果に基づいて受信状態が良好なチューナを操作対象として選択することを特徴としたものである。
【００１６】
第７の技術手段は、第１の技術手段において、前記操作対象選択手段は、前記チューナと前記外部チューナのいずれかを操作対象として選択させる画面を表示させ、該画面上でユーザにより選択されたチューナを操作対象として選択することを特徴としたものである。
【００１７】
第８の技術手段は、第１乃至第７のいずれか１の技術手段において、該表示装置の入力を切り換えるための入力切換メニューに、前記外部チューナで受信可能な放送種別を追加して拡張し、該拡張した入力切換メニューの各入力項目を選択可能に表示することを特徴としたものである。
【００１８】
第９の技術手段は、第１乃至第８のいずれか１の技術手段において、前記接続手段を介して前記外部チューナへＯＳＤ出力禁止のコマンドを送信し、前記外部チューナで生成されたＯＳＤ情報の表示を禁止することを特徴としたものである。
【００１９】
第１０の技術手段は、第１乃至第９のいずれか１の技術手段において、前記チューナで受信可能な番組情報を電子番組表として表示する手段を備え、前記外部チューナで受信可能な番組情報を取得し、該取得した番組情報を前記電子番組表を使用して表示させることを特徴としたものである。
【００２０】
第１１の技術手段は、第１乃至第９のいずれか１の技術手段において、前記外部チューナの放送種別への切り換えが要求されたときに、前記外部チューナへ電子番組表出力指示のコマンドを送信し、前記外部チューナの電子番組表を表示させることを特徴としたものである。
【００２１】
第１２の技術手段は、第１乃至第１１のいずれか１の技術手段において、前記接続手段は、前記外部チューナを少なくとも２つ接続し、一方は映像・音声信号を録画可能な録画装置であり、他方はセットトップボックスであることを特徴としたものである。
【００２２】
第１３の技術手段は、第１２の技術手段において、前記セットトップボックスから前記録画装置へ映像・音声信号の伝送を可能とし、前記セットトップボックスでのみ受信可能な放送を、前記録画装置に録画予約した場合、前記表示装置は、録画予約開始時刻になると、前記セットトップボックスへ選局開始を指示するコマンドを送信し、前記録画装置へ前記セットトップボックスからの映像・音声信号を録画指示するコマンドを送信することを特徴としたものである。
【００２３】
第１４の技術手段は、第１２の技術手段において、該表示装置から前記録画装置へ映像・音声信号の伝送を可能とし、前記表示装置でのみ受信可能な放送を、前記録画装置に録画予約した場合、前記表示装置は、録画予約開始時刻になると、録画出力を開始すると共に、前記録画装置へ前記表示装置からの映像・音声信号を録画指示するコマンドを送信することを特徴としたものである。
【００２４】
第１５の技術手段は、第１乃至第１４のいずれか１の技術手段において、前記接続手段は、ＨＤＭＩ規格に準じた接続を行う手段であり、前記コマンドは、ＨＤＭＩ規格に基づくＣＥＣコマンドであることを特徴としたものである。
【００２５】
第１６の技術手段は、放送信号を受信するチューナと、放送信号を受信する外部チューナを接続する接続手段とを備えた表示装置の外部チューナ制御方法であって、ユーザ入力に従って前記表示装置を操作する操作手段を使用して、前記表示装置に選局操作がなされたときに、前記外部チューナで受信可能な放送種別に応じて、前記チューナと前記外部チューナのいずれか一方を操作対象として選択するステップと、前記外部チューナが操作対象として選択された場合、前記接続手段を介して前記外部チューナへ選局指示のコマンドを送信するステップとを有することを特徴としたものである。
【００２６】
第１７の技術手段は、第１６の技術手段において、前記外部チューナが前記チューナと同じ種別の放送信号を受信可能な場合、前記表示装置が、前記操作手段により前記チューナと前記外部チューナの両方で受信可能な放送が選局されたときに、前記チューナが使用状態にあるかどうかを判定し、前記チューナが使用状態であれば、前記外部チューナを操作対象として選択することを特徴としたものである。
【００２７】
第１８の技術手段は、第１６の技術手段において、前記外部チューナが前記チューナと異なる種別の放送信号を受信可能な場合、前記表示装置が、前記操作手段により前記外部チューナでのみ受信可能な放送が選局されたときに、前記外部チューナを操作対象として選択することを特徴としたものである。
【００２８】
第１９の技術手段は、第１６の技術手段において、前記外部チューナが前記チューナと同じ種別で且つ放送経路の異なる放送信号を受信可能な場合、前記表示装置が、前記操作手段により前記チューナと前記外部チューナの両方で受信可能な放送が選局されたときに、前記外部チューナを操作対象として優先的に選択することを特徴としたものである。
【発明の効果】
【００２９】
本発明によれば、ＳＴＢやレコーダなどの外部チューナと接続され、リモコン一つを用いて、テレビにあたかも外部チューナの機能が組み込まれているかのように操作できるため、ユーザは外部チューナの接続を意識することなく、単にテレビの機能が拡張されたかのようにスムーズな操作を行うことができる。
【発明を実施するための最良の形態】
【００３０】
以下、添付図面を参照しながら、本発明の表示装置及び該表示装置による外部チューナ制御方法の好適な実施の形態について説明する。
【００３１】
本発明の実施形態においては、ＨＤＭＩ規格に含まれるＣＥＣ(Consumer Electronics Control)あるいはＩＥＥＥ１３９４規格に含まれるＡＶＣを使用することができる。ここではＨＤＭＩ／ＣＥＣを代表例として説明する。
【００３２】
本発明の表示装置は、ＳＴＢやレコーダなどの外部チューナとＨＤＭＩにより接続され、リモコン一つを用いて、あたかも外部チューナの機能が組み込まれているかのように操作ができるようになる。このＣＥＣは、ＨＤＭＩで規格化されている制御プロトコルであり、そのプロトコルに基づく制御信号であるＣＥＣコマンドが機器間でやりとりされる。
【００３３】
図１は、本発明の表示装置の一実施形態例を説明するためのブロック図で、本発明の表示装置をテレビ装置に適用した例を示すものである。
テレビ装置１００は、デジタル放送信号を選局して復調する内蔵チューナであるＴＶチューナ１０１と、復調した放送信号からＥＰＧデータの抽出や復調されたデータの分離を行うデマルチプレクサ１０２と、分離されたデジタル放送のビデオデータをデコードするビデオデコーダ１０３とを備えている。
【００３４】
またテレビ装置１００は、システム全体の制御を行うシステム制御部１０４と、システム制御部１０４からのバスの使用要求を受けてバスの使用許可を与えるバス調停部１０５と、システム制御部１０４からの指示を受けて各種のＯＳＤ信号を生成・出力するＯＳＤ信号処理部１１１とを有している。バス調停部１０５は、一時に一つのバスの使用要求があったときはただちに使用許可を与え、一時に複数の使用要求があったときは、すなわちバスの使用要求が競合したときは、予めシステム制御部１０４等に定められている優先度に従ってバスの使用許可を与える。
【００３５】
テレビ装置１００には、複数の外部入力Ｉ／Ｆ（外部入力１，外部入力２）１０６，１０７と、ＨＤＭＩ機器からの入力を受け付ける本発明の接続手段に相当するＨＤＭＩ入力Ｉ／Ｆ（ＨＤＭＩ入力１，ＨＤＭＩ入力２）１０８，１０９とが設けられる。ＨＤＭＩ用のＩ／Ｆとしては、後述するＨＤＭＩレシーバやＣＥＣ Ｉ／Ｆなどが備えられる。これら複数の外部入力，ＨＤＭＩ入力，ＴＶチューナ入力を切り換えるために入力切換メニューが用意され、システム制御部１０４と接続されるメモリ１１６に保持される。メモリ１１６に保持される入力切換メニューはユーザ操作に従ってＯＳＤ信号処理部１１１からＯＳＤ表示され、ユーザ所望の入力に切り換えることができる。
【００３６】
画像処理部１１０では、ノイズリダクション、スケーリングやＩＰ変換等の映像信号変換処理を適宜必要に応じて実施する。また画質強調補正処理やγ補正処理等の画質調整を適宜実施する。また画像信号変換処理において、各種の３次元画像処理を行うためにフレームメモリ１１３が使用される。デバイス駆動部１１２は、液晶パネル等の表示デバイス１１４を駆動制御して、画像処理部１１０から出力された映像信号及び／又はＯＳＤ信号処理部１１１から出力されたＯＳＤ信号を表示デバイス１１４に表示させる。またテレビ装置１００には、ユーザが操作する本発明の操作手段に相当するリモートコントローラ（以下リモコン）Ｒからの赤外線信号を受信する赤外線受光部１１５が設けられる。
【００３７】
システム制御部１０４は、本発明の操作対象選択手段に相当する操作対象選択部１０４ａを備える。操作対象選択部１０４ａは、リモコンＲにより選局操作がなされたときに、例えばＨＤＭＩ入力１に接続された外部チューナ（図示せず）で受信可能な放送種別（地上デジタル，ＢＳデジタルなど）に応じて、ＴＶチューナ１０１と外部チューナのいずれか一方を操作対象として選択する。この際、外部チューナが操作対象として選択された場合、ＨＤＭＩ入力Ｉ／Ｆ１０８に含まれるＣＥＣ Ｉ／Ｆを介して外部チューナへ選局指示のＣＥＣコマンドを送信する。これにより、ユーザはテレビのリモコンＲを使用して、テレビに接続された外部チューナをあたかもテレビの内蔵チューナであるかのように操作することができる。
【００３８】
図２は、本発明が適用可能なＡＶシステムの構成例を説明するためのブロック図で、出力装置１０と、リピータ機器２０と、表示装置３０とが接続されている構成を示すものである。リピータ機器２０及び出力装置１０は、本発明に関わる外部機器に該当する。そして出力装置１０とリピータ機器２０とはＨＤＭＩケーブルによって接続され、さらにリピータ機器２０と表示装置３０とがＨＤＭＩケーブルによって接続される。
【００３９】
出力装置１０は、ＨＤＭＩにおけるソース機器に相当し、例えばＨＤＭＩ出力端子を持つＤＶＤレコーダやＨＤＤレコーダ、Ｄ−ＶＨＳレコーダ、ＳＴＢなどであり、リピータ機器は、ＨＤＭＩ入力端子と出力端子とをもつＡＶアンプなどであり、表示装置は、ＨＤＭＩにおけるシンク機器に相当し、ＨＤＭＩ入力端子をもつ液晶テレビやモニタなどである。ＡＶアンプなどのリピータ機器が複数のＨＤＭＩ入力端子を持っていれば、複数の出力装置１０を接続することができ、ＡＶアンプのセレクタ機能によって入力ラインを切り替えることができる。
【００４０】
ＨＤＭＩケーブルは、デジタル信号である映像・音声信号を差動方式で伝送するためのＴＭＤＳ（Transition Minimized Differential Signaling）ライン（デジタル信号転送ライン）４１と、機器間で共通の制御信号（ＣＥＣコマンド）を伝送する双方向バスであるＣＥＣ（Consumer Electronics Control）ライン４２とを含んでいる。またこの他、ＨＤＭＩケーブルには、ＥＤＩＤ（Extended Display Identification Data）の送信やＨＤＣＰ認証等に利用される図示しないＤＤＣラインが含まれる。
【００４１】
ビデオ／音声を含むストリームは、ＴＭＤＳライン４１を用いて伝送される。ＴＭＤＳライン４１はシリアル伝送路であり、例えば、赤（Ｒ），緑（Ｇ），青（Ｂ）のチャンネル毎の３つのデータ伝送路と、１つのクロック伝送路とが設けられている。Ｒ，Ｇ，Ｂに分解された映像信号は伝送路内をベースバンド信号で伝送され、音声信号は映像信号のブランキング期間に挿入されて映像信号と同時に伝送される。ＨＤＭＩは、５．１ｃｈや６．１ｃｈなどマルチサラウンドの音声信号の伝送にも対応しており、マルチサラウンド音声信号を映像信号に挿入して同時に伝送することができる。
【００４２】
また本発明に関わる表示装置３０により外部チューナを操作するために、ＣＥＣライン４２を介して転送されるＣＥＣコマンドが用いられる。上述のように、ＣＥＣはＨＤＭＩで規格化されている制御プロトコルであり、ＣＥＣコマンドはＣＥＣプロトコルに基づく制御信号である。そしてＣＥＣコマンドを用いて機器間で情報をやりとりすることにより、表示装置３０と接続機器との間で各種の動作制御を実現する。
【００４３】
出力装置１０は、ＨＤＭＩトランスミッタ１１、ＨＯＳＴ ＣＰＵ１２、フロントマイコン１３、ＣＥＣ Ｉ／Ｆ１４を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のストリームに変換する。そして、変換したストリームをＴＭＤＳライン４１によってリピータ機器２０へ転送する。ＨＯＳＴ ＣＰＵ１２は、ＨＤＭＩコントローラを含み、ＨＤＭＩトランスミッタ１１の動作を制御する。
【００４４】
ＣＥＣ Ｉ／Ｆ１４は、ＨＤＭＩケーブル内のＣＥＣライン４２を接続し、リピータ機器２０との間でＣＥＣコマンドの双方向通信を可能とする。ＣＥＣ Ｉ／Ｆ１４の動作は、ＣＥＣコントローラを含むフロントマイコン１３により制御され、ＣＥＣコマンドによってＨＤＭＩ接続された機器を制御することができる。ＣＥＣの場合、ＨＤＭＩ接続された各機器の論理アドレス（機器の種別）と物理アドレス（機器の位置）が取得されるため、この論理アドレスと物理アドレスを指定することで所望の機器にＣＥＣコマンドを送信することができる。
【００４５】
ＨＯＳＴ ＣＰＵ１２は装置全体を制御する。またフロントマイコン１３は低電力で動作し、常にＣＥＣライン４２から転送されてくるＣＥＣコマンドを監視する。またリモコン装置があれば、そのリモコン信号の送信の有無を監視する。また装置のスタンバイモードなどによってＨＯＳＴ ＣＰＵ１２がダウンしているときも、フロントマイコン１３は動作している（少なくともＣＥＣコマンドの転送が可能な状態で動作する）。
【００４６】
リピータ機器２０は、ＨＤＭＩレシーバ２１、ＨＤＭＩトランスミッタ２２、ＨＯＳＴ ＣＰＵ２３、フロントマイコン２４、及びＣＥＣ Ｉ／Ｆ２５を備えている。リピータ機器２０は、出力装置１０から転送されたストリームをＨＤＭＩレシーバ２１で受信し、さらにＨＤＭＩトランスミッタ２２から送出して、表示装置３０に転送する。またＣＥＣ Ｉ／Ｆ２５によって、出力装置１０との間のＣＥＣライン４２と、表示装置３０との間のＣＥＣライン４２とを接続する。
【００４７】
ＨＯＳＴ ＣＰＵ２３とフロントマイコン２４は、上述の出力装置１０と同様の機能を備え、ＨＯＳＴ ＣＰＵ２３は、ＨＤＭＩレシーバ２１とＨＤＭＩトランスミッタ２２とを制御するともに装置全体を制御する。またフロントマイコン１３はＣＥＣコントローラを含み、ＣＥＣライン４２から転送されてくるＣＥＣコマンドを監視する。
【００４８】
またＡＶアンプなどのように、リピータ機器２０に複数のＨＤＭＩ入力端子がある場合、複数のＨＤＭＩ機器を出力装置１０として接続することができる。この場合、リピータ機器２０のセレクト機能より、表示装置３０に転送するストリームの入力ポートを適宜切り換えることができる。そしてストリームの入力ポートの切換は、表示装置３０に対する操作に応じたＣＥＣコマンドによって実現することができる。
【００４９】
表示装置３０は、ＨＤＭＩレシーバを内蔵したＨＯＳＴ ＣＰＵ３１、モニターマイコン３２、ＣＥＣ Ｉ／Ｆ３３、及びメモリ３４を備えている。表示装置３０は、リピータ機器２０から送出されたストリームをＨＤＭＩレシーバ内蔵のＨＯＳＴ ＣＰＵ３１で受信する。ＨＤＭＩレシーバはＨＯＳＴ ＣＰＵ３１と分離された構成であってもよい。またＣＥＣ Ｉ／Ｆ３３によって、リピータ機器２０との間のＣＥＣライン４２が接続される。
【００５０】
ＨＯＳＴ ＣＰＵ３１は、ＨＤＭＩレシーバを内蔵し、また装置全体を制御している。またモニターマイコン３２は、ＣＥＣライン４２のコントローラを含み、ＣＥＣライン４２から転送されてくるＣＥＣコマンドを監視する。またモニターマイコン３２は、リモコン装置３６からのリモコン信号を受信する受光部３５を制御している。そして装置のスタンバイモードなどにおいてＨＯＳＴ ＣＰＵ３１がダウンしているときでも、モニターマイコン３２が動作し、ＣＥＣコマンドの送受信とリモコン信号の受信とが可能な状態に維持される。
【００５１】
表示装置３０では、ＨＯＳＴ ＣＰＵ３１に内蔵されたＨＤＭＩレシーバによりストリームの映像／音声が分離され、必要に応じて所定の映像信号処理及び音声信号処理を行って、ディスプレイ等の表示画面に映像表示を行うとともに、スピーカから音声出力させる。またＨＤＭＩではない経路から映像／音声信号が入力する場合には、ビデオ／オーディオスイッチにより出力信号が切り換えられる。
【００５２】
図３は、図１に示したテレビ装置１００と複数の外部チューナをＨＤＭＩ接続した構成例を示す図である。テレビ装置１００は、外部チューナ１であるレコーダ２０１がＨＤＭＩ入力Ｉ／Ｆ１０８（ＨＤＭＩ入力１）に接続され、外部チューナ２であるＳＴＢ２０２がＨＤＭＩ入力Ｉ／Ｆ１０９（ＨＤＭＩ入力２）に接続される。テレビ装置１００とレコーダ２０１，ＳＴＢ２０２がＨＤＭＩ接続されることで、図中実線矢印で示す方向すなわち外部チューナからテレビへ向かう方向へ映像・音声信号を送信し、図中点線矢印で示す方向すなわち外部チューナとテレビ間でＣＥＣコマンドの双方向でのやり取りを可能とする。
【００５３】
前述したように、操作対象選択部１０４ａは、リモコンＲにより選局操作がなされたときに、ＨＤＭＩ入力１に接続されたレコーダ２０１で受信可能な放送種別と、ＨＤＭＩ入力２に接続されたＳＴＢ２０２で受信可能な放送種別とに応じて、ＴＶチューナ１０１と外部チューナ（レコーダ２０１あるいはＳＴＢ２０２）のいずれか一方を操作対象として選択する。これらのレコーダ２０１、ＳＴＢ２０２（以下これらを外部チューナと総称する）は、受信できる放送の種別に応じて大きく以下の３つのパターンに分けることができる。
【００５４】
（１）第１のパターンは、外部チューナがＴＶチューナ１０１と同じ種別の放送信号を受信可能な場合である。この場合、テレビ装置と外部チューナの双方で、例えば、地上アナログ，地上デジタル，ＢＳデジタル，ＣＳデジタルなどを受信することができる。
（２）第２のパターンは、外部チューナがＴＶチューナ１０１と異なる種別の放送信号を受信可能な場合である。この場合、外部チューナでのみ、テレビ装置では受信できないＩＰ放送などの有料放送を受信することができる。
（３）第３のパターンは、外部チューナがＴＶチューナ１０１と同じ種別で且つ放送経路の異なる放送信号を受信可能な場合である。この場合、外部チューナでのみ、テレビ装置では受信できない地上デジタルのＩＰ再送信などを受信することができる。
【００５５】
テレビ装置１００は、起動時あるいは外部チューナ接続時に、ＣＥＣコマンドを使用して、外部チューナから受信可能な放送種別の情報を取得し、取得した放送種別情報に基づいて、外部チューナが上記（１）〜（３）のいずれのパターンであるかを特定する。そして、テレビ装置１００は、外部チューナのパターンに応じて、異なる選局動作を行う。
【００５６】
第１のパターンの場合、テレビ装置１００は、ＴＶチューナ１０１が使用状態、すなわちチャンネル固定しておかなければならない状態で、固定しているＴＶチューナ１０１と同じ放送種別の選局がなされた場合、自動的に、テレビ装置１００は同じ放送種別の外部チューナに選局指示のＣＥＣコマンドを送信し、外部入力（ＨＤＭＩ入力）に入力切換する。
【００５７】
その後の選局操作（例えば、リモコンＲが備える数字ボタンやチャンネルアップ／ダウンのボタンなど）については、テレビ装置１００のＴＶチューナ１０１への選局処理に割り当てる。この場合、選局操作が発生した時点でＴＶチューナ１０１が固定中でなければ、テレビ装置１００はＴＶチューナ１０１で選局し、ＴＶチューナ１０１に入力切換する。一方、選局操作が発生した時点でＴＶチューナ１０１が固定中であれば、外部チューナへ選局指示のＣＥＣコマンドを送信する。
【００５８】
すなわち、第１のパターンの場合、操作対象選択部１０４ａは、リモコンＲによりＴＶチューナ１０１と外部チューナの両方で受信可能な放送が選局されたときに、ＴＶチューナ１０１が使用状態にあるかどうかを判定し、ＴＶチューナ１０１が使用状態であれば、外部チューナを操作対象として選択する。そして、システム制御部１０４は、外部チューナが操作対象として選択された場合、ＨＤＭＩ入力に含まれるＣＥＣ Ｉ／Ｆを介して外部チューナへ選局指示のＣＥＣコマンドを送信する。
【００５９】
また、選局操作の割当方法の別の実施形態として、例えば、操作対象選択部１０４ａが、ＴＶチューナ１０１と外部チューナの受信レベルなどの受信状態を判定する機能を備え、判定結果に基づいて受信状態が良好なチューナを操作対象として選択するようにしてもよい。また、操作対象選択部１０４ａが、ＴＶチューナ１０１と外部チューナの選択画面を表示させる機能を備え、画面上でユーザにより選択されたチューナを操作対象として選択するようにしてもよい。
【００６０】
このように、第１のパターンの場合、ユーザから見れば、外部チューナを意識する必要がなく、テレビが同一の放送について複数のチューナを備えているかのようにスムーズに操作することができる。
【００６１】
次に、第２のパターンの場合、後述の図５に示すように、テレビ装置１００の入力切換メニューに、外部チューナで受信可能な放送種別の項目を追加していく。入力切換メニューに追加された項目が選択された場合、外部チューナへの入力切換処理や外部チューナの選局処理を行う。例えば、テレビ装置１００で受信できないＩＰ放送を、ＩＰ放送対応の外部チューナで受信する場合、このＩＰ放送が入力切換メニューに追加される。一方、テレビ装置１００にもあり、外部チューナにもある放送種別（図５のＢＳデジタル放送、地上デジタルのＩＰ再送信）の場合、メニュー項目は追加されない。
【００６２】
また、リモコンＲに放送拡張用ボタンを備えている場合、テレビ装置１００が放送拡張用ボタンを受け付けた際に、外部チューナへの入力切換処理や外部チューナの選局処理を行う。放送拡張用ボタンは、拡張用の放送種別に切り換えるための１つのボタンであってもよいし、拡張用の放送種別専用の数字ボタンやチャンネルアップ／ダウンボタンであってもよい。
【００６３】
なお、その後の選局操作（例えば、リモコンＲが備える数字ボタンやチャンネルアップ／ダウンのボタンなど）については、第１のパターンとは異なり、外部チューナへの選局処理に割り当てる。
【００６４】
すなわち、第２のパターンの場合、操作対象選択部１０４ａは、リモコンＲにより外部チューナでのみ受信可能な放送が選局されたときに、外部チューナを操作対象として選択する。そして、システム制御部１０４は、外部チューナが操作対象として選択された場合、ＨＤＭＩ入力に含まれるＣＥＣ Ｉ／Ｆを介して外部チューナへ選局指示のＣＥＣコマンドを送信する。
【００６５】
このように、第２のパターンの場合、ユーザから見れば、外部チューナを意識する必要がなく、テレビが拡張された放送種別についてチューナを備えているかのようにスムーズに操作することができる。
【００６６】
次に、第３のパターンの場合、地上デジタルなどの再送信でも受信可能な放送の種別をテレビ装置１００の入力切換メニューや、リモコンＲから選択された場合、地上デジタルの再送信信号を受信可能な外部チューナを優先して選局に使用する。その後の選局操作（例えば、リモコンＲが備える数字ボタンやチャンネルアップ／ダウンのボタンなど）については、第１のパターンとは異なり、外部チューナへの選局処理に割り当てる。
【００６７】
すなわち、第３のパターンの場合、操作対象選択部１０４ａは、リモコンＲによりＴＶチューナ１０１と外部チューナの両方で受信可能な放送が選局されたときに、外部チューナを操作対象として優先的に選択する。そして、システム制御部１０４は、外部チューナが操作対象として選択された場合、ＨＤＭＩ入力に含まれるＣＥＣ Ｉ／Ｆを介して外部チューナへ選局指示のＣＥＣコマンドを送信する。
【００６８】
また、選局操作の割当方法の別の実施形態として、第１のパターンと同様に、操作対象選択部１０４ａが、ＴＶチューナ１０１と外部チューナの受信レベルなどの受信状態を判定する機能を備え、判定結果に基づいて受信状態が良好なチューナを操作対象として選択するようにしてもよい。また、操作対象選択部１０４ａが、ＴＶチューナ１０１と外部チューナの選択画面を表示させる機能を備え、画面上でユーザにより選択されたチューナを操作対象として選択するようにしてもよい。
【００６９】
このように、第３のパターンの場合、ユーザから見れば、外部チューナを意識する必要がなく、放送経路の異なる放送種別についても操作方法を変更する必要がなく、スムーズに操作することができる。
【００７０】
図４は、図１に示したテレビ装置１００による外部チューナ制御方法の一例を説明するためのフロー図である。まず、テレビ装置１００は、外部チューナが接続されたかどうかを判定し（ステップＳ１）、外部チューナが接続されている場合（ＹＥＳの場合）、ＣＥＣコマンドを使用して、外部チューナのチャンネル情報を受け取り（ステップＳ２）、受け取ったチャンネル情報に応じて、入力切換メニューを再構成する（ステップＳ３）。一方、外部チューナが接続されていない場合（ＮＯの場合）、ステップＳ１で待機状態に移行する。
【００７１】
次に、テレビ装置１００は、ユーザが選局動作を行ったかどうかを判定し（ステップＳ４）、選局動作が行われたと判定した場合（ＹＥＳの場合）、その選局動作がチューナ切換又はチャンネルアップ／ダウンかを判定する（ステップＳ５）。また、ステップＳ４において、選局動作が行われていなければ（ＮＯの場合）、ステップＳ４で待機状態に移行する。
【００７２】
テレビ装置１００は、ステップＳ５において、選局動作がチャンネルアップ／ダウンであると判定された場合（図中、チャンネルｕｐ／ｄｏｗｎの場合）、現在視聴中のチューナが内蔵かどうかを判定し（ステップＳ６）、内蔵チューナの場合（ＹＥＳの場合）、通常通り選局動作を行う（ステップＳ７）。また、ステップＳ６において、内蔵チューナではない場合（ＮＯの場合）、外部チューナに対して選局コマンドを送信する（ステップＳ８）。
【００７３】
一方、テレビ装置１００は、ステップＳ５において、選局動作がチューナ切換であると判定された場合（図中、チューナ切換の場合）、外部チューナが前述の（１）第１のパターン又は（２）第２のパターン又は（３）第３のパターンかを判定する（ステップＳ９）。テレビ装置１００は、ステップＳ９において、第１のパターンの場合（図中（１）の場合）、選局先の内蔵チューナが固定状態かどうかを判定し（ステップＳ１０）、固定状態にある場合（ＹＥＳの場合）、ＣＥＣコマンドを使用して、外部チューナに選局させその映像を表示する（ステップＳ１１）。一方、ステップＳ１０において、固定状態にない場合（ＮＯの場合）、内蔵チューナに選局させその映像を表示する（ステップＳ１２）。
【００７４】
また、テレビ装置１００は、ステップＳ９において、第２のパターンの場合（図中（２）の場合）、ステップＳ１１へ移行して、ＣＥＣコマンドを使用して、外部チューナに選局させその映像を表示する。
【００７５】
また、テレビ装置１００は、ステップＳ９において、第３のパターンの場合（図中（３）の場合）、設定に基づいて外部チューナを選択し、ＣＥＣコマンドを使用して、外部チューナにＩＰ再送信放送を選局させその映像を表示する（ステップＳ１３）。
【００７６】
図５は、テレビ装置１００により表示される入力切換メニューの一例を示す図である。テレビ装置１００の入力を切り換えるための入力切換メニューに、外部チューナで受信可能な放送種別を追加して拡張し、拡張した入力切換メニューの各入力項目を選択可能に表示する。ここでは、テレビ装置１００単独の入力メニューとして、１．地上アナログ、２．ＢＳデジタル、３．地上デジタル、４．ＨＤＭＩ入力１、５．ＨＤＭＩ入力２の５つの項目が登録されている。また、外部チューナ単独の入力メニューとして、１．ＢＳデジタル、２．ＩＰ放送、３．地上デジタル（ＩＰ再送信）の３つの項目が登録されている。
【００７７】
システム制御部１０４は、テレビの入力メニューと外部チューナの入力メニューを合成して、合成した入力切換メニューをメモリ１１６に保持する。この入力切換メニューはＯＳＤ信号処理部１１１で表示可能な形態に加工され、表示デバイス１１４からＯＳＤ表示される。
【００７８】
本例における合成後の入力切換メニューは、ＩＰ放送が追加されている。一方、外部チューナに含まれるＢＳデジタルと地上デジタル（ＩＰ再送信）は、テレビの入力メニューにも含まれているため、追加されない。なお、外部チューナがＨＤＭＩ入力１に接続されている場合、テレビの入力切換メニュー内の「ＨＤＭＩ入力１」の項目は選択できないようにしてもよい。
【００７９】
このような構成にすることで、例えば、テレビ装置１００が地上アナログチューナを１つ持っていて、且つ、外部チューナとして地上アナログチューナがある場合、テレビ側で２画面表示を行うときに、テレビ単体では不可能な地上アナログチューナによる同時２画面表示を行うことができる。
【００８０】
図６は、テレビ装置１００によるＯＳＤ表示の例を示す図である。テレビ装置１００に外部チューナを接続した状態で、テレビ側が外部チューナの放送を選局した場合、外部チューナで生成されたチャンネル情報のＯＳＤやコーション情報のＯＳＤなどのＯＳＤ映像がテレビ画面に表示され、テレビ側のＯＳＤと外部チューナのＯＳＤが同時に表示されてしまうことがある。このときのチャンネル情報のＯＳＤ表示の例を図６（Ａ）に示す。
【００８１】
そこで、テレビ装置１００は、外部チューナへＯＳＤ出力禁止のＣＥＣコマンドを送信し、外部チューナで生成されたＯＳＤ情報の表示を禁止するようにしてもよい。例えば、テレビ装置１００は、起動時あるいは外部チューナとの接続時に、外部チューナからチャンネル情報を取得すると同時に、外部チューナへＯＳＤ出力を禁止するＣＥＣコマンドを送信する。そして、テレビ装置１００は、外部チューナから取得したチャンネル情報をテレビ側のＯＳＤで表示するようにすれば、外部チューナで生成されたＯＳＤを表示させることなく、外部チューナのＯＳＤ情報をテレビ側のＯＳＤで表示することができる。
【００８２】
また、テレビ装置１００がＥＰＧ（電子番組表）機能を備える場合、外部チューナの番組情報を表示する方法について説明する。この場合、テレビ装置１００は、ＴＶチューナ１０１で受信した放送信号から、デマルチプレクサ１０２によりＥＰＧデータが抽出され、このＥＰＧデータはＯＳＤ信号処理部１１１で電子番組表としての表示形態に加工される。
【００８３】
テレビ装置１００は、外部チューナとＣＥＣ経由で通信することにより、外部チューナで受信可能な番組情報を取得し、取得した番組情報を、上記電子番組表を使用して表示させる。なお、外部チューナの番組情報を含む電子番組表により、外部チューナに対して録画予約できるように構成してもよい。この際、外部チューナでの録画予約情報もＣＥＣ経由で取得し、録画予約情報も併せて電子番組表に表示するようにしてもよい。
【００８４】
ここで、前述した第２のパターンの場合、テレビ装置１００と外部チューナで放送種別が異なるため、テレビ装置１００の電子番組表に該当する放送種別を表示する欄がないことが考えられる。そこで、電子番組表を表示しているときに、リモコンＲの放送拡張用ボタンなどが操作され、外部チューナへの放送種別の切換が要求されたときに、該当する外部チューナへ電子番組表出力指示のＣＥＣコマンドを送信し、外部入力へ切り換えて、外部チューナ自身の電子番組表を表示させるようにしてもよい。
【００８５】
この場合、外部チューナ自身の電子番組表をテレビ装置１００のリモコンＲから操作するために、例えば、カーソルボタン、決定ボタン、戻るボタン、終了ボタン、カラーボタンなど、電子番組表の操作に必要なリモコンＲのボタン情報を外部チューナに転送・設定しておく。
【００８６】
なお、テレビ装置１００は、外部チューナ自身の電子番組表を表示しているときに、リモコンＲの放送切換ボタンなどでＴＶチューナ１０１への切換が要求された場合、テレビに入力切換し、該当する放送種別の電子番組表を表示する。
【００８７】
図７は、図１に示したテレビ装置１００による録画予約から録画開始までの処理の一例を説明するためのフロー図である。なお、本例では図３の接続構成に基づいて説明する。
まず、テレビ装置１００は、録画予約処理が指定されたかどうかを判定し（ステップＳ２１）、録画予約が指定された場合（ＹＥＳの場合）、レコーダ２０１にある放送種別かどうかを判定する（ステップＳ２２）。また、ステップＳ２１において、録画予約が指定されない場合（ＮＯの場合）、ステップＳ２１で待機状態に移行する。なお、録画予約の指定とは、放送種別（地上デジタル，ＢＳデジタル，ＣＳデジタルなど）、チャンネル、録画日時、開始時刻などの録画予約に必要な情報を入力することをいう。
【００８８】
テレビ装置１００は、ステップＳ２２において、レコーダ２０１にある放送種別の場合（ＹＥＳの場合）、レコーダ２０１へ録画予約情報を送信する（ステップＳ２３）。この録画予約情報がセットされたレコーダ２０１は指定時間になったら録画を開始する（ステップＳ２４）。また、ステップＳ２２において、レコーダ２０１にある放送種別ではない場合（ＮＯの場合）、ＳＴＢ２０２にある放送種別かどうかを判定する（ステップＳ２５）。
【００８９】
テレビ装置１００は、ステップＳ２５において、ＳＴＢ２０２にある放送種別の場合（ＹＥＳの場合）、ＳＴＢ２０２へ指定時間に再生させるための情報を送信し（ステップＳ２６）、レコーダ２０１へＳＴＢ２０２の録画予約情報を送信する（ステップＳ２７）。
この録画予約情報がセットされたレコーダ２０１は指定時間になったらＳＴＢ２０２からの映像・音声信号の録画を開始する（ステップＳ２４）。また、ステップＳ２５において、ＳＴＢ２０２にある放送種別ではない場合（ＮＯの場合）、テレビ装置１００にしかない放送種別かどうかを判定する（ステップＳ２８）。
【００９０】
テレビ装置１００は、ステップＳ２８において、テレビ装置１００にしかない放送種別の場合（ＹＥＳの場合）、テレビが指定時間に録画出力を行うように設定し（ステップＳ２９）、レコーダ２０１へテレビ装置１００の録画予約情報を送信する（ステップＳ３０）。この録画予約情報がセットされたレコーダ２０１は指定時間になったらテレビ装置１００からの映像・音声信号の録画を開始する（ステップＳ２４）。また、ステップＳ２８において、テレビ装置１００にある放送種別ではない場合（ＮＯの場合）、録画予約できないため、エラー表示するなどして終了する。
【００９１】
ここで、テレビ装置１００に、外部チューナとして、レコーダ２０１とＳＴＢ２０２をそれぞれ接続している場合、ＳＴＢ２０２でのみ受信できる放送を、レコーダ２０１に録画するために、図８に示すように、ＳＴＢ２０２からレコーダ２０１へ映像・音声信号を伝送するための信号線を接続する。テレビ装置１００は、録画予約開始時刻になると、ＳＴＢ２０２へ選局開始を指示するコマンドを送信し、レコーダ２０１へＳＴＢ２０２からの映像・音声信号を録画指示するコマンドを送信する。
【００９２】
また、テレビ装置１００でのみ受信可能な放送を、レコーダ２０１に録画するために、図９に示すように、テレビ装置１００からレコーダ２０１へ映像・音声信号を伝送するための信号線を接続する。テレビ装置１００は、録画予約開始時刻になると、録画出力を開始すると共に、レコーダ２０１へテレビ装置１００からの映像・音声信号を録画指示するコマンドを送信する。
【００９３】
以上説明したように、本発明によれば、ＳＴＢやレコーダなどの外部チューナと接続され、リモコン一つを用いて、テレビにあたかも外部チューナの機能が組み込まれているかのように操作できるため、ユーザは外部チューナの接続を意識することなく、単にテレビの機能が拡張されたかのようにスムーズな操作を行うことができる。
【図面の簡単な説明】
【００９４】
【図１】本発明の表示装置の一実施形態例を説明するためのブロック図である。
【図２】本発明が適用可能なＡＶシステムの構成例を説明するためのブロック図である。
【図３】図１に示したテレビ装置と複数の外部チューナをＨＤＭＩ接続した構成例を示す図である。
【図４】図１に示したテレビ装置による外部チューナ制御方法の一例を説明するためのフロー図である。
【図５】テレビ装置により表示される入力切換メニューの一例を示す図である。
【図６】テレビ装置によるＯＳＤ表示の例を示す図である。
【図７】図１に示したテレビ装置による録画予約から録画開始までの処理の一例を説明するためのフロー図である。
【図８】図１に示したテレビ装置と複数の外部チューナをＨＤＭＩ接続した他の構成例を示す図である。
【図９】図１に示したテレビ装置と複数の外部チューナをＨＤＭＩ接続した他の構成例を示す図である。
【符号の説明】
【００９５】
１０…出力装置、１１…ＨＤＭＩトランスミッタ、１２…ＨＯＳＴ ＣＰＵ、１３…フロントマイコン、１４…ＣＥＣ Ｉ／Ｆ、２０…リピータ機器、２１…ＨＤＭＩレシーバ、２２…ＨＤＭＩトランスミッタ、２３…ＨＯＳＴ ＣＰＵ、２４…フロントマイコン、２５…ＣＥＣ Ｉ／Ｆ、３０…表示装置、３１…ＨＯＳＴ ＣＰＵ、３２…モニターマイコン、３３…ＣＥＣ Ｉ／Ｆ、３４…受光部、３５…リモコン装置、４１…ＴＭＤＳライン、４２…ＣＥＣライン、１００…テレビ装置、１０１…ＴＶチューナ、１０２…デマルチプレクサ、１０３…ビデオデコーダ、１０４…システム制御部、１０４ａ…操作対象選択部、１０５…バス調停部、１０６，１０７…外部入力Ｉ／Ｆ、１０８，１０９…ＨＤＭＩ入力Ｉ／Ｆ、１１０…画像処理部、１１１…ＯＳＤ信号処理部、１１２…デバイス駆動部、１１３…フレームメモリ、１１４…表示デバイス、１１５…赤外線受光部、１１６…メモリ、２０１，２０２…外部チューナ。
【図１】
2008061065.tif 000003
【図２】
2008061065.tif 000004
【図３】
2008061065.tif 000005
【図４】
2008061065.tif 000006
【図５】
2008061065.tif 000007
【図６】
2008061065.tif 000008
【図７】
2008061065.tif 000009
【図８】
2008061065.tif 000010
【図９】
2008061065.tif 000011